(57)【特許請求の範囲】
【請求項１】
患者に対して処方された医薬品についての薬歴管理業務を支援する薬歴管理業務支援システムであって、
表示部と、
外部から操作可能な操作部と、
前記患者とのインタビューを介して前記薬歴管理業務において確認すべき複数種類の事項のそれぞれに対応した複数の画面データを予め格納する画面データ格納部とを備え、
前記複数の画面データのそれぞれは、前記表示部に表示される同一画面において、
前記確認すべき複数種類の事項を一覧表示するためのデータと、
前記一覧表示された前記確認すべき複数種類の事項のうちから、前記操作部により指定された種類の事項について、収集され得る複数種類の収集情報、前記収集情報を評価して得られる複数種類の評価情報および前記評価情報に基づいて採り得る複数種類の行動を示す複数種類の行動情報を、分類して表示するためのデータとからなり、
さらに、前記薬歴管理業務支援システムは、
前記確認すべき複数種類の事項のうち前記操作部の操作により指定される種類の事項に対応の前記画面データを、前記画面データ格納部から読出して、読出された前記画面データの画面を、前記表示部に表示する画面表示手段と、
前記画面表示手段により表示された画面において表示される前記分類された情報のうち、前記操作部の操作により指定された種類の情報を前記患者毎に記憶する記憶手段とを備える、薬歴管理業務支援システム。
【請求項２】
前記画面において前記複数種類の収集情報は、収集される頻度に従う順番で表示されることを特徴とする、請求項１に記載の薬歴管理業務支援システム。
【請求項３】
前記画面において前記複数種類の評価情報は、得られる頻度に従う順番で表示されることを特徴とする、請求項１また２に記載の薬歴管理業務支援システム。
【請求項４】
前記画面において前記複数種類の行動情報は、該行動を採り得る頻度に従う順番で表示されることを特徴とする、請求項１から３のいずれか１項に記載の薬歴管理業務支援システム。
【請求項５】
前記記憶手段は、前記薬歴管理業務毎に、前記操作部の操作により指定された種類の情報を前記患者毎に順次蓄積して記憶することを特徴とする、請求項１から４のいずれか１項に記載の薬歴管理業務支援システム。
【請求項６】
前記記憶手段の内容を前記患者毎に出力する手段をさらに備える、請求項１から５のいずれか１項に記載の薬歴管理業務支援システム。
【請求項７】
前記画面表示手段は、
前記操作部の操作により、前記画面に表示される前記確認すべき複数種類の事項のうちの任意の種類の前記事項が指定されたことに応じて、該任意種類の事項に対応の前記画面データを前記画面データ格納部から読出して、前記表示部の画面を、読出された前記画面データの画面に切換えて表示する切換え表示手段を有する、請求項１から６のいずれか１項に記載の薬歴管理業務支援システム。
【請求項８】
患者に対する処方医薬品を示す処方情報を入力する処方入力手段と、
複数の医薬品についての相互作用に関するデータからなる相互作用データ群と、複数の医薬品についての副作用に関するデータからなる副作用データ群と、複数の医薬品についての禁忌症に関するデータからなる禁忌症データ群および複数の医薬品についての妊婦と授乳婦に関するデータからなる妊娠と授乳データ群が格納されるデータ格納手段と、
前記処方入力手段により入力された前記処方情報で示される前記処方医薬品のそれぞれについて、前記データ格納手段の前記相互作用データ群、前記副作用データ群、前記禁忌症データ群および前記妊娠と授乳データ群のそれぞれから、該処方医薬品に該当するデータを検索するデータ検索手段と、
前記データ検索手段により検索されたデータを、一覧画面にして、前記処方医薬品毎に該処方医薬品の適正使用のために考慮されるべき程度に従う色分けで表示する適正使用表示手段とをさらに備える、請求項７に記載の薬歴管理業務支援システム。
【請求項９】
表示部と、
外部から操作可能な操作部と
前記薬歴管理業務において確認すべき複数の事項のそれぞれに対応した複数の画面データを予め格納する画面データ格納部と、を備えるコンピュータを用いて、患者に対して処方された医薬品についての薬歴管理業務を支援する薬歴管理業務支援方法であって、
前記複数の画面データのそれぞれは、前記表示部に表示される同一画面において、
前記確認すべき複数種類の事項を一覧表示するためのデータと、
前記一覧表示された前記確認すべき複数種類の事項のうちから、前記操作部により指定された種類の事項について、収集され得る複数種類の収集情報、前記収集情報を評価して得られる複数種類の評価情報および前記評価情報に基づいて採り得る複数種類の行動を示す複数種類の行動情報を、分類して表示するためのデータとからなり、
前記薬歴管理業務支援方法は、
前記確認すべき複数種類の事項のうち前記操作部の操作により指定される種類の事項に対応の前記画面データを、前記画面データ格納部から読出して、読出された前記画面データの画面を、前記表示部に表示する画面表示ステップと、
前記画面表示ステップにより表示された画面において表示される前記分類された情報のうち、前記操作部の操作により指定された種類の情報を前記患者毎に記憶する記憶ステップとを備える、薬歴管理業務支援方法。
【請求項１０】
請求項９に記載の薬歴管理業務支援方法を、コンピュータに実行させるための薬歴管理業務支援プログラム。
【請求項１１】
請求項１０に記載の薬歴管理業務支援プログラムを記録した機械読取り可能な記録媒体。
【発明の詳細な説明】
【０００１】
【発明の属する技術分野】
この発明は患者に処方された医薬品が適正に使用されるように患者に対する薬歴管理業務を支援する薬歴管理業務支援システム、薬歴管理業務支援方法、薬歴管理業務支援プログラムおよび薬歴管理業務支援プログラムを記録した機械読取り可能な記録媒体に関し、特に、医薬品適正使用を達成するために薬剤師が行う薬歴管理業務における問題解決のための行動過程を支援する薬歴管理業務支援システム、薬歴管理業務支援方法、薬歴管理業務支援プログラムおよび薬歴管理業務支援プログラムを記録した機械読取り可能な記録媒体に関する。
【０００２】
【従来の技術および発明が解決しようとする課題】
現在、保険薬局における薬剤師から患者に対する医薬品適正使用業務の質の向上と薬歴管理の記録業務の効率化とが望まれている。
【０００３】
薬物治療上の医薬品適正使用を達成するために薬歴管理業務において薬剤師が行なう問題解決のための行動過程は、問題ごとに情報収集→情報評価→問題の明確化→問題解決のための計画立案→計画の実施→情報収集→…のサイクルである。
【０００４】
情報収集は、患者の主観的情報（Ｓ）（＝subjective）および患者の客観的情報（Ｏ）（＝objective）を収集することである。問題の明確化（Ａ）（＝assessment）は情報の解析・分析・統合のプロセスおよび期待される結果・目標を示す。具体的には、医薬品情報および患者情報に基づく評価、処方医から入手した情報による評価、業務記録（薬歴管理記録）に基づく評価などがある。問題解決のための計画立案と実施（Ｐ）（＝plan）は、問題解決策の判断、問題解決のための計画立案、処方医への情報提供、疑義照会の実施、患者への指導事項、次回あるいは中途で患者に尋ねたりチェック・注意すべき事項を含む。
【０００５】
患者の情報収集から問題解決・服薬指導までのプロセスの記録、これを薬歴管理記録というが、薬歴管理記録を上述した（Ｓ）、（Ｏ）、（Ａ）、（Ｐ）の各項目ごとに分類して記録する。このように情報をより多く入手し、それを詳細に記録することで、後の記録参照時に問題点や要点の把握が容易になり、適正使用業務の質の向上が図れる。したがって、薬剤師はカウンセリングしながら情報収集し、評価し問題を明確化し、問題解決のための計画立案をし、計画の実施および服薬指導を行なうことになるので、これら業務により多くの時間を捻出する必要がある。そのためには、薬歴管理業務の記録時間の短縮化を図るとともに、薬歴管理記録の参照性を高めるなどの業務の効率化対策が必要である。
【０００６】
それゆえにこの発明の目的は、医薬品適正使用業務の質と能率の向上を図ることのできる薬歴管理業務支援システム、薬歴管理業務支援方法、薬歴管理業務支援プログラムおよび薬歴管理業務支援プログラムを記録した機械読取り可能な記録媒体を提供することである。
【０００７】
【課題を解決するための手段】
この発明のある局面に係る薬歴管理業務支援システムは、患者に対して処方された医薬品についての薬歴管理業務を支援するシステムであって、薬歴管理業務において確認すべき複数の事項のそれぞれに対応して、収集され得る複数種類の収集情報、収集情報を評価して得られる複数種類の評価情報および評価情報に基づいて採り得る複数種類の行動を示す複数種類の行動情報のうちの少なくとも１つを提示するための画面を表示する画面表示手段と、画面表示手段により表示された画面において提示される情報のうち、外部操作により指定された種類の情報を患者毎に記憶する記憶手段とを備える。
【０００８】
したがって、薬歴管理業務においては、患者毎に記憶される情報は、画面表示手段により表示される確認すべき複数の事項のそれぞれに対応した画面で提示される複数種類の収集情報、複数種類の評価情報および複数種類の行動情報のうちの少なくとも１つのうちから、外部操作により指定された種類の情報となる。
【０００９】
それゆえに、薬歴管理業務においては、薬歴管理業務する者が異なったとしても、薬歴管理業務に関しての一貫性が保たれることになる。また、画面に提示される情報は外部操作して指定するだけで、患者毎に記憶される。その結果、薬歴管理業務による医薬品適正使用のための業務の質と能率は向上する。
【００１０】
上述の薬歴管理業務支援システムでは、好ましくは、薬歴管理業務において確認すべき複数の事項のそれぞれについて表示される画面で提示される情報は、収集情報、評価情報および行動情報のそれぞれごとに分類されて提示される。
【００１１】
したがって、表示画面における提示情報が、いずれの分類に該当するかを速やかに認識できる。
【００１２】
上述の薬歴管理業務支援システムでは、好ましくは、画面において複数種類の収集情報は、収集される頻度に従う順番で提示される。
【００１３】
したがって、表示画面において複数種類の収集情報は、薬歴管理業務において収集される得る頻度に従い提示されるから、外部操作により指定するとき、目的とする種類の収集情報を速やかに特定することができる。
【００１４】
上述の薬歴管理業務支援システムでは、好ましくは、画面において複数種類の評価情報は、得られる頻度に従う順番で提示される。
【００１５】
したがって、表示画面において複数種類の評価情報は、薬歴管理業務において得られる頻度に従い提示されるから、外部操作により指定するとき、目的とする種類の評価情報を速やかに特定することができる。
【００１６】
上述の薬歴管理業務支援システムでは、好ましくは、画面において複数種類の行動情報は、該行動を採り得る頻度に従う順番で提示される。
【００１７】
したがって、表示画面において複数種類の行動情報は、薬歴管理業務において該行動を採り得る頻度に従い提示されるから、外部操作により指定するとき、目的とする種類の行動情報を速やかに特定することができる。
【００１８】
上述の薬歴管理業務支援システムでは、好ましくは、記憶手段は、薬歴管理業務毎に、外部操作により指定された種類の情報を患者毎に順次蓄積して記憶する。したがって、患者毎の薬歴管理業務の履歴情報を記憶しておくことができる。
【００１９】
上述の薬歴管理業務支援システムは、好ましくは、記憶手段の内容を患者毎に出力する手段をさらに備える。したがって、患者毎に薬歴管理業務の内容を出力して確認できるから、確認した内容に基づいて問題点を把握し、把握した問題点に基づいて次の薬歴管理業務を進めることもできる。
【００２０】
上述の薬歴管理業務支援システムでは、好ましくは、画面には、さらに、確認すべき複数事項のそれぞれを特定するための複数のデータが提示される。そして、画面表示手段は切換え表示手段を有する。切換え表示手段は、外部操作により、画面に提示される複数データのうちの任意のデータが指定されたことに応じて、該任意データにより特定される確認すべき事項に対応の画面に切換えて表示する。
【００２１】
したがって、薬歴管理業務中の状況に応じて確認すべき事項が変更したとしても、変更した事項に対応の任意データを外部操作して指定するだけで、対応の画面に切換え表示できるから、薬歴管理業務を臨機応変に効率よくすすめることができる。
【００２２】
この発明のさらなる他の局面に係る薬歴管理業務支援方法は、患者に対して処方された医薬品についての薬歴管理業務を支援する薬歴管理業務支援方法であって、薬歴管理業務において確認すべき複数の事項のそれぞれについて、収集され得る複数種類の収集情報、収集情報を評価して得られる複数種類の評価情報および評価情報に基づいて採り得る複数種類の行動を示す複数種類の行動情報のうちの少なくとも１つを提示するための画面を表示する画面表示ステップと、画面表示ステップにより表示された画面において提示される情報のうち、外部操作により指定された種類の情報を患者毎に記憶する記憶ステップとを備える。
【００２３】
したがって、薬歴管理業務においては、患者毎に記憶される情報は、画面表示ステップにより表示される確認すべき複数の事項のそれぞれに対応した画面で提示される複数種類の収集情報、複数種類の評価情報および複数種類の行動情報のうちの少なくとも１つのうちから、外部操作により指定された種類の情報となる。
【００２４】
それゆえに、薬歴管理業務においては、薬歴管理業務する者が異なったとしても、薬歴管理業務に関しての一貫性が保たれることになる。また、画面に提示される情報は外部操作して指定するだけで、患者毎に記憶される。その結果、薬歴管理業務による医薬品適正使用のための業務の質と能率は向上する。
【００２５】
この発明のさらなる他の局面に係る薬歴管理業務支援プログラムは、上述の薬歴管理業務支援方法を、コンピュータに実行させるためのプログラムである。
【００２６】
この発明のさらなる他の局面に係る記録媒体は、上述の薬歴管理業務支援プログラムを記録した機械読取り可能な記録媒体である。
【００２７】
【発明の実施の形態】
以下この発明の実施の形態について図面を参照して説明する。
【００２８】
（実施の形態１）
図１はこの発明の実施の形態に係るシステムが搭載されたコンピュータの構成図である。システムが搭載されたコンピュータは、ＣＰＵ（central processing unit）１、液晶などからなり情報を表示するための表示部２、情報をプリント出力するための印刷部３、ＣＤ−ＲＯＭ（compact disc read only memory）１１が着脱自在に装着されて、装着されたＣＤ−ＲＯＭ１１を駆動して情報を読み書きするためのＣＤ−ＲＯＭドライバ４、ＦＤ（flexible disc）１２が着脱自在に装着されて、装着されたＦＤ１２を駆動して情報を読み書きするためのＦＤドライバ５、プログラムまたはデータを記憶するメモリ６、インターネットを含む各種のネットワークを介して他の装置と通信するための通信Ｉ／Ｆ（インターフェイス）７、Ｉ／Ｆ８、キーボードなどからなり情報を入力するために操作される入力部９、Ｉ／Ｆ８を介してＣＰＵ１により情報がアクセスされるデータが格納されるデータ格納部１０を含む。メモリ６はデータが一時的に格納される領域６Ａを含む。
【００２９】
データ格納部１０はメモリ空間を有して、該メモリ空間には患者情報データ群３０、患者処方データ群４０、安全性情報ＤＢ（データベースの略）群５０および薬歴管理業務とＳＯＡＰ入力データ群６０ならびに画面データ群７０が格納される。
【００３０】
患者情報データ群３０には当該薬局にて投薬を受けた患者のそれぞれについて、当該患者に関するデータ３１が格納される。患者処方データ群４０には、当該薬局にて投薬を受けた患者のそれぞれについて、当該患者に処方した医薬品に関する履歴のデータ４１が格納される。
【００３１】
安全性情報ＤＢ群５０には患者に処方される医薬品の安全使用のための重要な情報である相互作用ＤＢ５０Ａ、副作用ＤＢ５０Ｂ、禁忌症ＤＢ５０Ｃ、妊娠・授乳ＤＢ５０Ｄが格納される。これらのＤＢの内容は各医薬品に添付される文章から抽出される医薬品に関する情報に基づいて作成される。その詳細は、出願人により先に出願された特願２０００−３９５３８８号に示されているので、ここではその説明は繰返さない。
【００３２】
薬歴管理業務とＳＯＡＰ入力データ群６０には、患者のそれぞれについて、当該患者に対して薬剤師が行なった薬歴管理業務内容を示すデータおよび後述するＳＯＡＰ入力のデータからなるデータ６１が格納される。
【００３３】
画面データ群７０は、薬剤師が患者に対して薬歴管理業務しながら自動的に薬歴管理記録をするために表示部２に表示される複数種類の画面のデータが予め格納される。図２は、この発明の実施の形態に係る処理フローチャートであり、図３はこの実施の形態に係るＳＯＡＰ・Ｑ＆Ｓのフローチャートである。
【００３４】
図２および図３に示される処理を、表示部２に表示される画面を参照しながら説明する。
【００３５】
動作において、まず、処方の入力（Ｓ１）がなされる。具体的には、患者が薬局に来て、持参している処方箋を窓口に提示するので、薬剤師はこれを受理して、処方箋に記載された内容に従う情報を入力部９を介して入力する。入力される情報には今回処方された医薬品に関する情報と患者を特定する情報（氏名、保険の番号など）が含まれる。
【００３６】
このとき、ＣＰＵ１は、入力された患者特定の情報に基づき、患者情報データ群３０をアクセスして該患者に対応のデータ３１を読出して、図４の画面のデータを生成し、表示部２に生成されたデータによる画面を表示する。
【００３７】
次に、先の患者特定情報に基づいて患者情報データ群３０のデータ３１と薬歴管理業務とＳＯＡＰ入力データ群６０の対応のデータ６１をそれぞれアクセスして、該患者に対して処方した薬剤の履歴（以下、薬歴という）による情報および薬歴管理業務の情報を得る。これにより後述の薬歴チェックシートが発行されるとともに、図５の薬歴問合せの画面が表示される。
【００３８】
図５は薬歴問合せのための患者情報画面であって、患者ごとに提示される。この画面には、患者を特定する氏名などの情報の他に薬物治療を施すに際して考慮されるべき患者自身の情報が部分１１Ａ〜１１Ｅを含む各部に表示される。
【００３９】
部分１１Ａに示される８つの窓には患者情報が端的に集約して反映されて、常に閲覧できる。部分１１Ｂの患者の薬剤アレルギー歴、アレルギー体質、副作用歴、他科受診、併用薬、授乳・妊娠について該当する項目と部分１１Ｃの特記事項の項目が、部分１１Ａの８つの窓に反映される。ここでは、部分１１Ｂに示されるように、患者は“薬剤アレルギー歴”があり、“アレルギー体質”であり、“他科受診”でもあり、また“併用薬”もあるので、部分１１Ａの各窓には“ア”、“体”、“他”、および“併”の文字が示されて、部分１１Ｂの患者に関する情報が端的に集約して反映される。
【００４０】
部分１１Ｄには患者の病歴が示される。部分１１Ｅには患者の生活習慣（飲酒、喫煙など）、職業上の注意事項（自動車運転、機械作業、高所作業などの有無）が示される。
【００４１】
図５の画面を確認した薬剤師が入力部９のプリント出力のためのキーを操作すると、ＣＰＵ１は、図６の患者に対応する薬歴チェックシートのデータを生成して、印刷部３を介してシートをプリント出力する（Ｓ２）。
【００４２】
図６の薬歴チェックシート８００には患者情報が印字される患者情報欄８０、併用薬が印字される併用薬の情報欄８５、薬歴が印字される薬歴情報欄９０、今回患者情報収集・指導内容欄９１および前回指導内容欄９２が印字される。欄９１は、今回、これから予定している薬歴管理業務の内容と指導において得た情報などが記載されるべき欄である。
【００４３】
欄９２は、前回の薬歴管理業務においての内容（前回の薬歴管理業務において得た情報など）が印字される欄である。
【００４４】
印刷出力された薬歴チェックシート８００は、処方箋に添付して調剤室に回されて、調剤をする薬剤師は、このチェックシートの内容を参考にして調剤する。薬歴チェックシート８００を手元において、欄９１に以降の薬歴管理業務において、患者に対して指導した情報などを、患者から収集した情報とともに記入することもできる。
【００４５】
次に、窓口において薬剤師は、入力部９を操作して、図７のカレンダ薬歴画面が表示される（Ｓ３）。
【００４６】
図７の画面の部分１０Ａには、患者情報データ群４０の対応のデータ４１に基づいてカレンダ形式で当該患者に対してこれまで投薬された医薬品のそれぞれについて、その服用期間、量が棒グラフ状に示されているので、これを見た薬剤師は投薬履歴を瞬時に把握できる。また部分１０Ｂには薬歴管理業務とＳＯＡＰ入力データ群６０の対応のデータ６１に基づいて薬剤師による患者に対する投薬時の指導内容の履歴が示される。
【００４７】
薬剤師は、図７の画面を確認することで、患者の薬歴を一目で確認することができるとともに、処方されたとおりに服薬しているか否かも判定できる。
【００４８】
その後、ＳＯＡＰ・Ｑ＆Ｓの処理がなされる（Ｓ４〜Ｓ２１）。この処理では、所定項目のタグまたはセルをクリックして切換表示される画面の内容を見ながら、患者とインタビューを実施し、該当する項目のセルをクリックすることなどにより、ＳＯＡＰ形式に従う速やかな薬歴管理業務とその内容の即時記録を実施できる。
【００４９】
薬歴管理業務においては、薬歴管理業務において確認すべき複数の事項のそれぞれについて、（Ｓ）または（Ｏ）に対応の収集され得る複数種類の情報、収集情報を評価して得られる（Ａ）に対応の複数種類の評価情報および評価情報に基づいて採り得る（Ｐ）に対応の複数種類の行動を示す複数種類の行動情報のうちの少なくとも１つを提示するための画面が表示部２に表示される。画面では、薬歴管理業務において確認すべき複数の事項は主にタグとして示されて、各種の情報は（Ｓ）、（Ｏ）、（Ａ）、（Ｐ）のそれぞれについてマトリックス状に分類されたセルとして表示される。タグには、対応の事項を端的に示す名称（文字列）が当てられて表示され、セルには、対応の情報を端的に示す名称（文字列）が当てられて表示される。したがって、薬剤師はタグまたはセルに当てられて表示される名称を確認することにより、該タグまたは該セルに分類されている事項または情報を知ることができる。
【００５０】
ＳＯＡＰ・Ｑ＆Ｓの詳細について図３のフローチャートに従い説明する。
まず、ＳＯＡＰ・Ｑ＆Ｓが起動すると、ＣＰＵ１は画面データ群７０から図８の画面データを読出して、表示部２に画面として表示する（Ｓ４）。図８の画面では、処方された医薬品適正使用のために薬歴管理業務において、薬剤師が確認すべき事項が分類されて、分類された各事項が割当てられたタグ群ＴＧ（セル群ＣＧ）が示される。セル群ＣＧの各事項のセルに対応して（Ｓ）、（Ｏ）、（Ａ）および（Ｐ）に分類されたセルが設けられている。タグ群ＴＧの各タグおよびセル群ＣＧの各セルには、対応の確認事項の名称が割当てられている。
【００５１】
タグ群ＴＧは全ての画面において提示されて、薬剤師は患者とのインタビュービューをしながら、タグ群ＴＧの任意の確認事項のタグをクリックすることにより、該確認事項のための画面に切換え表示できる。
【００５２】
薬剤師は、提出された処方箋を確認して疑義が生じなかったときは、図８のセル群ＣＧの矢印Ａで示される“処方内容疑義”のセルに対応の（Ａ）のセルをクリックすることにより、図中矢印Ｂのように“問題なし”と入力することができる。
【００５３】
一方、処方箋に、たとえば医師名が記入されていないなどにより疑義が生じた場合には、対応の（Ａ）のセルをダブルクリックする、またはタグ群ＴＧの“処方内容疑義”と示される矢印Ｃのタグをクリックするので、ＣＰＵ１はクリックされたセルまたはタグに対応の画面データを画面データ群７０から読出して画面として表示する。このとき表示される画面が図９に示される（Ｓ５）。
【００５４】
図９の画面では疑義の項目のそれぞれについてセルが示されている。図９の画面を参照しながら、薬剤師は生じた疑義の項目に対応のセルをクリックすることにより、クリックしたセルに対応の疑義の項目が、領域６Ａに記憶される。
【００５５】
図９の画面では、薬剤師は処方箋の有効期間に疑義を持ったので、対応のセルＣＥ１をクリックしている。図９の画面の最下段には、セルＣＥ１のクリックに連動して文字列ＣＨが表示される。文字列ＣＨは、クリックされたセルＣＥ１に対応の疑義に関する情報の具体的内容を記述している。文字列ＣＨは領域６Ａに記憶される。後述の各画面でも、タグまたはセルのクリックに連動して文字列ＣＨは同様に表示される。
【００５６】
このように、薬剤師はタグまたはセルをクリックしたときに、画面の最下段に表示される文字列ＣＨを確認することで、クリックしたタグまたはセルに当てられた対応の事項または情報の詳細を一目で確認できる。したがって、画面では表示領域の制限ゆえに、タグまたはセルの名称は対応の事項または情報を端的に示すことになるけれども、対応の事項または情報の詳細が文字列ＣＨとして同一画面に提示されるので、便利である。
【００５７】
次に、薬剤師は、患者が新患・再来の場合は、後述の服薬中体調変化（Ｓ７）について指導するが、継続や処方変更であれば服薬状況を指導する（Ｓ６）。
【００５８】
服薬状況の指導（Ｓ６）では、薬剤師は図９の画面のタグ群ＴＧの“服薬状況”のタグＴＧ１をクリックすると、ＣＰＵ１は画面データ群７０から図１０の画面データを読出して、画面として表示部２に表示する。
【００５９】
図１０の画面では、来局状況（Ｏ）、ノンコンプライアンス理由（Ｓ）、薬剤使用性（Ｓ）、問題解決のための評価（Ａ）、問題解決のための指導（Ｐ）の各項目について、該当する詳細事項それぞれが示された複数のセルが設けられている。ここでは、薬剤師は先ほどの薬歴カレンダを参照して、“来局状況が悪い”と判断したとすれば、来局状況（Ｏ）の項目において対応のセルＣＥ１をクリックして、患者からその理由として、たとえば“飲み忘れが多いので来局が定期的でない”ことを聴取したならば、ノンコンプライアンス理由（Ｓ）として、その理由に該当するセルＣＥ２をクリックしている。
【００６０】
ここで、薬剤師は患者から聴取した事項について特記すべき内容を発見したときは、該当セルをダブルクリックすると、画面にウィンドウＷＤが表示される。
【００６１】
ウィンドウＷＤはダブルクリックされたセルの事項に関連して特記すべき内容を、入力部９を介してテキストデータとして入力するための領域である。
【００６２】
図１０の画面にクリックしたセルに対応の事項およびウィンドウＷＤに入力された内容は領域６Ａに記憶される。
【００６３】
また、患者とのインタビューにおいて、他の各項目についても必要に応じてチェックして、該当の詳細事項のセルをクリックすることで、クリックしたセルに対応の詳細事項は同様にして領域６Ａに記憶される。
【００６４】
服薬中の体調変化を指導するために、薬剤師が図１０の画面のタグ群ＴＧの“服薬中体調変化”のタグＴＧ２をクリックすると、図１１の画面データが画面データ群７０から読出されて表示される（Ｓ７）。
【００６５】
画面データ群７０には、主な複数の疾患について図１１の形式の画面データが予め格納されている。図１１の画面には、格納されたこれら複数個の画面データから選択的に画面データを読出して画面表示するためのタグ群ＴＧＳが表示される。タグ群ＴＧＳの各タグには、主な複数の疾患の名称それぞれが示されている。
【００６６】
患者の病状または疾患名は患者から直接聴取して確認することもできるし処方箋から類推することもできる。ここでは、“循環器疾患”と判断されたので、図１１では、タグ群ＴＧＳの対応のタグＴＧ１がクリックされたときの画面が示される。
【００６７】
図１１の画面では、クリックされた疾患名に対して、病状・症状（Ｓ）と検査値（Ｏ）の各項目について、該当する詳細事項それぞれが示された複数のセルが設けられている。ここでは、薬剤師は病状・症状（Ｓ）の項目として“高血圧症”と判断して対応のセルをクリックしている。また、検査値の複数セルのそれぞれの詳細事項には、薬剤師の判断を容易とするために検査値の正常値が参考のために‘参’の文字が付されて示される。したがって、薬剤師は患者から聴取した検査値が正常値よりも高い／低いを、‘参’で示される値に基づけば容易に判断できる。
【００６８】
その判断結果は、ここでは示されないが、図１０で示したウィンドウＷＤを表示させて、薬剤師自身が文字を入力して、テキストデータとして領域６Ａに記憶することができる。図１１の画面でクリックされたタグまたはセルの事項または情報も領域６Ａに記憶することができる。
【００６９】
図１１のタグ群ＴＧＳの“検査値”のタグＴＧ２をクリックすると、図１２の画面のデータが画面データ群７０から読出されるので、図１２の画面が表示される。図１２の画面では、各種検査値（Ｏ）が示されたセルが設けられている。セルには、検査値についての正常値が併せて示されている。患者から聴取したまたは処方箋から得た検査値に該当のセルをクリックして、薬剤師は検査値が該当セルで示される正常値と比較して、検査値の評価（Ａ）による詳細事項のセルのうち、比較結果に該当のセルをクリックする。クリックしたセルの詳細事項の情報は領域６Ａに記憶することができる。
【００７０】
次に、図１２のタグ群ＴＧの“アレルギー”のタグＴＧ１をクリックすると、ＣＰＵ１は画面データ群７０から図１３の画面データを読出して、表示部２に画面として表示する（Ｓ８）。
【００７１】
図１３の画面は、“薬剤アレルギー”に関する画面であり、薬剤アレルギー有無（Ｓ）、発症薬剤（Ｓ）、アレルギー症状（Ｓ）、情報評価（Ａ）および指導事項（Ｐ）の各項目について、該当する詳細事項それぞれが示された複数のセルが設けられている。
【００７２】
薬剤師は患者から薬剤アレルギーの有る／無し、アレルギーを発症させる薬剤およびアレルギー症状についてインタビューして聴取した時は、該当する詳細事項のセルをクリックする。また、聴取したアレルギーの情報を評価する。この評価に基づいて、薬剤師は、今回、処方された薬剤についてアレルギーを発症させるなどの疑義が生じ、該当薬剤を除去したときには、情報評価（Ａ）の項目の複数のセルのうちの、対応のセルＣＥ１をクリックする。
【００７３】
そして、患者にアレルギーについて指導したときは、指導事項（Ｐ）の項目の複数のセルのうち、その指導内容に対応のセルをクリックする。図１３の画面でクリックしたセルの情報は、領域６Ａに記憶される。
【００７４】
ここでは、タグ群ＴＧＳの薬剤アレルギーについて説明したが、同様にアレルギー体質についても画面を表示しながら、インタビューし、対応のセルをクリックすることで、情報を領域６Ａに記憶できる。
【００７５】
次に薬剤師は図１３の画面のタグ群ＴＧの“相互作用”のタグＴＧ１をクリックするので、ＣＰＵ１は画面データ群７０を検索して、クリックされたタグＴＧ１に対応の図１４の画面のデータを読出して画面として表示する（Ｓ１０）。
【００７６】
薬剤師は処方された薬剤についての相互作用を確認するために、他科受診（処方箋持参医療機関以外の医療機関）の有無、併用薬、飲食物（処方された薬剤と相互作用があり摂取を注意すべき食物の指導）の各項目について、患者とインタビューして確認する。タグ群ＴＧＳにはこれらの各項目についてタグが設けられる。
【００７７】
図１４の画面は、タグ群ＴＧＳにおいて“他科受診”のタグＴＧ１がクリックされたときに表示される画面である。ここでは、他科受診の有無（Ｏ）および受診先の医療機関名（Ｏ）の各項目について該当する詳細事項それぞれが示された複数のセルが表示される。ここでは、他科受診は無しなので、セルＣＥ１がクリックされている。クリックされたセルＣＥ１に対応の情報は領域６Ａに記憶される。
【００７８】
患者とのインタビューなどにおいて、併用薬が存在することを確認すると、薬剤師は、図１４のタグ群ＴＧＳの“併用薬”のタグＴＧ２をクリックするので、図１５の画面が表示される。
【００７９】
図１５の画面では、併用薬の有無（Ｏ）、併用薬の確認（Ｏ）、相互作用の評価（Ａ）、情報評価・対策（Ａ）および指導事項（Ｐ）の各項目について、該当する詳細項目それぞれが示された複数のセルが設けられている。
【００８０】
ここで、併用薬があった場合には、入力部９の所定キーを押下することにより、医薬品適正使用モニタリングシステムが起動する。医薬品適正使用モニタリングシステムは、図１の構成において予め搭載されていて、処方内容が適正であるのを効率よく正確にチェックするのを支援する。処方された医薬品のそれぞれについて該医薬品を安全に使用するのに必要な重要情報が、すなわち相互作用、副作用、禁忌症、妊娠と授乳に関する情報が一覧画面にて、該処方医薬品の適正使用のために考慮されるべき程度（重要度）に従う、赤、青、黒と表示色が異なるように表示される。したがって、重要情報の網羅性に優れるから、薬剤師は、処方内容の適正チェックを効率よく正確に行なえる。また、薬剤師は情報の表示色に基づいて、より重要な情報を一目で把握することができる。
【００８１】
医薬品適正使用モニタリングシステムが起動されると、図１６の「医薬品適正使用モニタリングチェック画面」を切換表示することができる（Ｓ１３）。医薬品適正使用モニタリングシステムの詳細は前述した先の出願に記載されているので、ここでは詳細説明は繰返さない。
【００８２】
図１６の画面は、今回処方された医薬品についての安全性情報が編集された処方薬安全性情報一覧の画面である。図１６の画面の内容は、処方箋に従うデータと安全性情報ＤＢ群５０の内容を用いて編集される。具体的には、患者処方のデータで示される処方された薬剤のそれぞれについて、相互作用ＤＢ５０Ａ、副作用ＤＢ５０Ｂ、禁忌症ＤＢ５０Ｃおよび妊娠・授乳ＤＢ５０Ｄのそれぞれから、該処方医薬品に該当するデータを検索して、検索結果のデータは安全性情報一覧画面にて表示可能なように編集される。
【００８３】
画面は部分１２Ａと部分１２Ｂを含む。部分１２Ａでは薬物治療を施すに際して考慮されるべき患者自身の情報が集約して表示される。部分１２Ｂには、今回処方が指示されている医薬品のそれぞれについてその薬剤名と該当する安全性の情報が一覧表示されている。したがって、図１６の１画面で、処方された薬剤の安全性情報と患者情報とを一括して確認することができる。
【００８４】
部分１２Ｂの安全性の情報は、相互作用については“相”、副作用については“副”、禁忌症については“禁”および妊娠・授乳については“妊”の頭文字にて表示される。また“相”に対しては対象薬一般名が示され、“副”に対してはチェック指導項目が示され、“禁”についてはチェック指導項目が示され、“妊”についてはチェック指導項目が表示されている。
【００８５】
また、安全性の情報は対応するランクの昇順に示されており、ランクが“１”であるものは赤色で表示され、ランクが“２”であるものは青色で表示され、ランクが“３”以上のものは黒色（色の変化なし）で示されている。
【００８６】
このように処方入力によって該当する安全性情報がランク別にカラー表示されるので、患者への安全性情報チェックの重要度比較を、すなわち該処方医薬品のた適正使用のために考慮されるべき程度比較を、薬剤を一見して認識することができる。
【００８７】
図１６の画面を参照して、薬剤師は、重大な相互作用があると判断すると、図１５の画面で対応の項目のセルをクリックする。また必要であれば該セルをダブルクリックしてウィンドウＷＤを表示して指導文を入力することもできる。ここでは、チェック結果、薬剤師の判断で併用中止としているので、図１５の情報評価・対策（Ａ）の項目に対応のセルＣＥ１がクリックされる。ここで入力された指導文およびクリックされたセルの該当事項の情報は領域６Ａに記憶される。
【００８８】
薬剤師が患者とのインタビューにおいて、過去に薬剤による副作用の有無を確認するために、図１５のダグＴＧの“副作用”のタグＴＧ１をクリックすると、図１７の画面が表示される（Ｓ１４）。
【００８９】
図１７の画面では副作用歴の有無チェック（Ｓ）、発症薬剤と症状（Ｓ）、問題解決のための評価（Ａ）、情報評価・対策（Ａ）および服薬指導（Ｐ）の各項目について、該当する詳細事項それぞれに対応の複数のセルが設けられている。
【００９０】
ここで、副作用歴があった場合には、前述と同様にして図１６の“医薬品適正使用モニタリングチェック画面”に切換表示されて、チェックされて、チェック結果に対応する図１７の項目のセルをクリックすることで、該セルの情報を領域６Ａに記憶できる。
【００９１】
同様にして、画面のタグ部ＴＧの“病名（合併症）と禁忌症”および“妊娠・授乳”の項目に対応のセルも順にクリックすることで、図１８、図１９の画面を表示することができる（Ｓ１５、Ｓ１６）。このとき、図１８の画面では項目“禁忌症チェック（Ａ）”について図１９の画面では“安全度チェック（Ａ）”について、前述の図１６の医薬品適正使用モニタリングチェック画面を参照して、、チェックすることができる。
【００９２】
薬剤師は患者とのインタビューにおいて、職業特性・生活習慣について情報を収集した場合には、図１９のタグ群ＴＧの“職業特性・生活習慣”のタグＴＧ１をクリックすることにより、図２０の画面を表示させることができる（Ｓ１７）。
【００９３】
図２０の画面では、患者自身の職業特性（Ｓ）、体質・性質（Ｓ）、嗜好（Ｓ）、食事（Ｓ）および運動・仕事（Ｓ）の各項目について、該当する詳細項目をそれぞれ示す複数のセルが設けられる。インタビューで得た情報に対応の詳細項目のセルをクリックすることで、クリックしたセルに対応の詳細事項（得た情報）を領域６Ａに記憶できる。
【００９４】
薬剤師は患者とのインタビューにおいて、患者相談事項があった場合には、図２０のタグＴＧの“患者相談事項”のタグＴＧ１をクリックすることにより、図２１の画面を表示することができる（Ｓ１８）。図２１の画面ではウィンドウＷＤが表示されて、相談内容を入力部９を介してテキストデータにして入力することができる。ウィンドウＷＤにおいて入力した相談内容は領域６Ａに記憶できる。
【００９５】
薬剤師は患者とのインタビューにおいて、処方された薬剤について指導をする場合には、図２１のタグ群ＴＧの“基本的指導事項”のタグＴＧ１をクリックすることにより、図２２の画面を表示させることができる（Ｓ１９）。
【００９６】
図２２の画面では、“基本的指導事項”についての詳細な事項を示すタグ群ＴＧＳが示される。タグ群ＴＧＳには処方された医薬品が内科処方、あるいは外科処方などに応じた項目のタグが設けられている。
【００９７】
タグ群ＴＧＳの処方された医薬品に対応の項目のタグをクリックすると対応の画面のデータが画面データ群７０から読出されて、画面が表示される。ここでは、タグ群ＴＧＳの“内科処方”のタグＴＧ１がクリックされた場合が示される。図２２の画面は、薬効説明（Ｐ）の項目について、該当する複数の詳細項目について複数のセルが設けられる。
【００９８】
薬剤師は、処方された医薬品について薬効説明（Ｐ）をした場合には、説明した内容に対応の詳細項目のセル、たとえばセルＣＥ１をクリックすることで患者に対して指導した薬効説明の内容が領域６Ａに記憶される。
【００９９】
薬剤師は患者とのインタビューにおいて、処方された医薬品について服用・保管上の注意をした場合には、タグ群ＴＧの“服用・保管上の注意”のタグＴＧ１をクリックすることにより、図２３の画面を表示させることができる（Ｓ２０）。
【０１００】
図２３の画面では、“服用・保管上の注意”に関して服用時の注意（Ｐ）、服用時点・回数・間隔（Ｐ）、服用対策・矯味法（Ｐ）、外用剤関係（Ｐ）、および保管上の注意（Ｐ）の各項目について、該当する詳細項目を示す複数のセルが設けられる。
【０１０１】
薬剤師は、インタビューにおいて患者に対してなされた医薬品の服用・保管上の注意に該当のセルをクリックすることで、クリックされたセルの詳細項目（患者に対してなされた服用・保管上の注意）の情報が領域６Ａに記憶される。ここでは、図２３のセルＣＥ１がクリックされた場合が示される。
【０１０２】
薬剤師は患者とのインタビューにおいて、患者の病気に沿った生活指導をした場合には、図２３のタグ群ＴＧの“生活指導”のタグＴＧ１をクリックすることにより、図２４の画面を表示させることができる（Ｓ２１）。
【０１０３】
図２４の画面では、タグ群ＴＧＳに複数種類の疾患名それぞれに対応してタグが設けられる。図２４の画面では、患者は例えば“高血圧”であるので、対応のタグＴＧ１がクリックされたときの状態が示されている。
【０１０４】
図２４の画面では、“高血圧”である患者については“生活指導”に関して減塩指導（Ｐ）、体重減少指導（Ｐ）、危険因子対策指導（Ｐ）およびその他の指導（Ｐ）の各項目について、該当する複数の詳細項目を示す複数のセルが設けられる。インタビューについてなされた生活指導の内容について該当するセルをクリックすることで、クリックされたセルの詳細項目（患者に対してなされた生活指導の内容）の情報は、領域６Ａに記憶される。ここではセルＣＥ１がクリックされた状態が示される。
【０１０５】
上述のようにして、インタビューを終えると、薬剤師は、インタビューにおけるＳＯＡＰに従う薬歴管理業務に関する入力内容を確認するために入力部９の所定キーを押下する。この押下により、ＣＰＵ１は、図２５の画面を表示する（Ｓ２２）。
【０１０６】
ＣＰＵ１は、領域６Ａに記憶された内容、すなわちインタビューにおいて入力した（Ｓ）、（Ｏ）、（Ａ）および（Ｐ）に従う情報を編集して、編集された内容を図２５の画面で表示する。図２５の画面では、上述の手順でインタビューしながら入力した情報は、（Ｓ）、（Ｏ）、（Ａ）および（Ｐ）に対応の項目である区分３１に従い分類されて、区分３１の項ごとにその内容３２が示される。区分３１は前述の各画面のタグに当てられた名称の省略名に対応する。たとえば、区分３１の‘体調’は前述の‘服薬中体調変化’のタグの名称の省略名であり、‘服薬’は前述の‘服薬状況’のタグの名称の省略名であり、‘指導’は前述の‘基本的指導事項’のタグの省略名である。図２５のデータＤ１は‘服薬中体調変化’のタグをクリックして表示された画面において入力された情報が内容３２として示されている。同様にデータＤ２は、‘服薬状況’のタグをクリックして表示された画面において入力された情報が内容３２として示されており、データＤ３は‘基本的指導事項’のタグをクリックして表示された画面において入力された情報が内容３２として示されている。
【０１０７】
図２５の画面を確認した薬剤師は、必要に応じて入力した内容を削除したり、変更したりした後に、内容の変更を禁止するために入力部９を介して入力確定の操作をする。その後、患者の薬歴管理記録を作成するために、薬剤師は、入力部９の所定キーを押下するので、ＣＰＵ１はデータを編集して図２６のＳＯＡＰ入力画面を表示する（Ｓ２３）。
【０１０８】
ＣＰＵ１は、該患者についてＳ２３において今回のＳＯＡＰに従う薬歴管理業務に関して確定した内容と、薬歴管理業務とＳＯＡＰ入力データ群６０の該患者に対応のデータ６１（過去においてなされたＳＯＡＰに従う薬歴管理業務内容の履歴の情報）とを用いて編集して、編集したデータにより図２６の画面を表示する。図２６の画面では、薬歴管理業務とＳＯＡＰ入力データが（Ｓ）、（Ｏ）、（Ａ）および（Ｐ）のそれぞれに分類されて提示される。
【０１０９】
その後、今回の薬歴管理業務に関して確定した内容に基づいて、患者情報データ群３０の該患者に対応のデータ３１が更新されて、更新された患者情報の画面が図２７のように表示される（Ｓ２４）。
【０１１０】
図２７の画面の患者情報を図５の画面の患者情報と比較すると、部分１１Ｂの情報が今回の薬歴管理業務の内容により更新されていることがわかる。図２７の画面の部分１１Ｃには、薬剤師が薬歴管理業務において患者から得た情報を適宜、入力することもできる。
【０１１１】
そして、患者処方データ群４０の対応するデータ４１に、更新された患者情報と指導内容とを反映させて、該患者についての薬歴チェックシートを印刷部３を介して出力する（Ｓ２５）。出力される薬歴チェックシートの一例が図２８に示される。図２８の薬歴チェックシート８００では図６のそれと比較してもわかるように、欄９１においては更新された患者情報と前回の指導内容とが反映されている。
【０１１２】
印刷された薬歴チェックシート８００には、該患者についての薬歴の問題点が示されるので、次回の薬歴管理業務においては、その問題点の核心からインタビューすることもできる。薬歴管理業務毎に薬剤師が異なっても、一貫性を有した指導内容とすることができる。
【０１１３】
なお、上述した処理フローチャートのＳ１３において、医薬品適正使用モニタリングチェック画面を参照した結果、処方の変更がなされた場合には、その都度上位の処理、たとえばＳ２の処理まで戻って、以降の処理を同様に繰返すこととなる。
【０１１４】
また、ここではステップＳ６からＳ２１までを順に実行する場合を説明しているが、インタビューの状況に応じて必ずしも順番どおりに実施される必要はなく、インタビューの状況に応じて変更することができる。すなわち、インタビューの状況に応じて確認事項が変更する毎に、そのとき表示されている画面の上部のタグ群ＴＧの該確認事項のタグをクリックすることにより、瞬時に該確認事項のための画面を切換え表示できて、継続して薬歴管理業務およびＳＯＡＰ入力が可能となる。
【０１１５】
本実施の形態によれば、上述したように、医薬品適正使用を考慮した薬歴管理業務において必要な薬剤師の業務内容を複数の項目（タグ群ＴＧまたはＴＧＳの各タグ、または各セル）毎に分類して、それぞれの項目ごとに、入手頻度の高い情報内容や使用頻度の高い問題解決のための行動内容などを編集して画面上に（Ｓ）、（Ｏ）、（Ａ）、（Ｐ）に分類して表示することができる。具体的には、上述の各画面においては、（Ｓ）と（Ｏ）に分類される複数種類の情報は、該情報が収集される頻度に従う順番で提示され、また、（Ａ）に分類される複数種類の情報は、該情報が得られる頻度に従う順番で提示され、また、（Ｐ）に分類される複数種類の情報は、該行動を採り得る頻度に従う順番で提示されるので、薬歴管理業務しながらも画面中の複数セルから該当する情報のセルを速やかに特定することができる。
【０１１６】
また、画面のタイトルを見ながら患者との対話や質問などを実施し、該当するセルのタイトルをクリックすることにより即時に記録できる。
【０１１７】
また、実際に書込む文章が薬剤師により追記が必要なときはウィンドウＷＤを開くことにより、自由に書込むことができる。
【０１１８】
上記のセルをクリックして書込んだ文章は図２６のＳＯＡＰ式入力画面に移行して更新することにより薬歴管理記録となる。ただし、この段階で文章追加が必要なときは追加して自由に書込むことができる。
【０１１９】
（実施の形態２）
実施の形態１で説明した処理機能を有したシステムは、プログラムで実現される。本実施の形態２では、このプログラムは図１のコンピュータで読取可能な記録媒体に格納される。
【０１２０】
本実施の形態では、この記録媒体として、図１のコンピュータで処理が行なわれるために必要なメモリ、たとえばメモリ６のようなそのものがプログラムメディアであってもよいし、また外部記憶装置としてＣＤ−ＲＯＭドライバ４やＦＤドライバ５などのプログラム読取装置に記録媒体であるＣＤ−ＲＯＭ１１やＦＤ１２が装着されることで読取可能なプログラムメディアであってもよい。いずれの場合においても、格納されているプログラムはＣＰＵ１がアクセスして実行させる構成であってもよいし、あるいはいずれの場合もプログラムが一旦読出されて、読出されたプログラムは、図１の所定のプログラム記憶エリア、たとえばメモリ６のプログラム記憶エリアにロードされて、ＣＰＵ１により読出されて実行される方式であってもよい。
【０１２１】
ここで、上述したプログラムメディアはコンピュータ本体と分離可能に構成される記録媒体であり、磁気テープやカセットテープなどのテープ系、ＦＤ１２やハードディスクなどの磁気ディスクやＣＤ−ＲＯＭ１１／ＭＯ（Magnetic  Optical  Disc）／ＭＤ（Mini  Disc）／ＤＶＤ（Digital  Versatile  Disc）などの光ディスクのディスク系、ＩＣカード（メモリカードを含む）／光カードなどのカード系、あるいはマスクＲＯＭ、ＥＰＲＯＭ（Erasable  and  Programmable  ＲＯＭ）、ＥＥＰＲＯＭ(Electrically  ＥＰＲＯＭ)、フラッシュＲＯＭなどによる半導体メモリを含めた固定的なプログラムを担持する媒体であってもよい。
【０１２２】
また、図１のコンピュータはインターネットを含む通信ネットワークと通信Ｉ／Ｆ７を介して接続可能な構成が採用されているから、これら通信ネットワークからプログラムがダウンロードされることにより流動的にプログラムを担持する媒体であってもよい。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  この発明の実施の形態に係るシステムの構成図である。
【図２】  この発明の実施の形態に係る処理フローチャートである。
【図３】  この発明の実施の形態に係るＳＯＡＰ・Ｑ＆Ｓのフローチャートである。
【図４】  患者情報による画面の一例を示す図である。
【図５】  薬歴問合せの画面の一例を示す図である。
【図６】  薬歴チェックシートの一例を示す図である。
【図７】  カレンダ薬歴画面の一例を示す図である。
【図８】  ＳＯＡＰ・Ｑ＆Ｓのトップページの画面の一例を示す図である。
【図９】  処方内容疑義に対応の画面の一例を示す図である。
【図１０】  服薬状況の指導の画面の一例を示す図である。
【図１１】  服薬中体調変化を入力するための画面の一例を示す図である。
【図１２】  検査値について入力するための画面の一例を示す図である。
【図１３】  薬剤アレルギーに関して入力するための画面の一例を示す図である。
【図１４】  相互作用に関して入力するための画面の一例を示す図である。
【図１５】  併用薬に関して入力するための画面の一例を示す図である。
【図１６】  医薬品適正使用モニタリングチェック画面の一例を示す図である。
【図１７】  副作用に関して入力するための画面の一例を示す図である。
【図１８】  病名（合併症）と禁忌症に関して入力するための画面の一例を示す図である。
【図１９】  妊娠・授乳に関して入力するための画面の一例を示す図である。
【図２０】  職業特性・生活習慣に関して入力するための画面の一例を示す図である。
【図２１】  患者相談事項に関して入力するための画面の一例を示す図である。
【図２２】  基本的指導事項に関して入力するための画面の一例を示す図である。
【図２３】  服用・保管上の注意に関して入力するための画面の一例を示す図である。
【図２４】  生活指導に関して入力するための画面の一例を示す図である。
【図２５】  入力内容確認のための画面の一例を示す図である。
【図２６】  ＳＯＡＰ入力の画面の一例を示す図である。
【図２７】  更新された患者情報の画面の一例を示す図である。
【図２８】  出力される薬歴チェックシートの一例を示す図である。
【符号の説明】
１  ＣＰＵ、２  表示部、３  印刷部、６  メモリ、３０  患者情報データ群、４０  患者処方データ群  ５０安全性情報ＤＢ群、６０  薬歴管理業務とＳＯＡＰ入力データ群、７０  画面データ群、ＴＧ,ＴＧＳ  タグ群。
【図１】
0003759590.tif 000002
【図２】
0003759590.tif 000003
【図３】
0003759590.tif 000004
【図４】
0003759590.tif 000005
【図５】
0003759590.tif 000006
【図６】
0003759590.tif 000007
【図７】
0003759590.tif 000008
【図８】
0003759590.tif 000009
【図９】
0003759590.tif 000010
【図１０】
0003759590.tif 000011
【図１１】
0003759590.tif 000012
【図１２】
0003759590.tif 000013
【図１３】
0003759590.tif 000014
【図１４】
0003759590.tif 000015
【図１５】
0003759590.tif 000016
【図１６】
0003759590.tif 000017
【図１７】
0003759590.tif 000018
【図１８】
0003759590.tif 000019
【図１９】
0003759590.tif 000020
【図２０】
0003759590.tif 000021
【図２１】
0003759590.tif 000022
【図２２】
0003759590.tif 000023
【図２３】
0003759590.tif 000024
【図２４】
0003759590.tif 000025
【図２５】
0003759590.tif 000026
【図２６】
0003759590.tif 000027
【図２７】
0003759590.tif 000028
【図２８】
0003759590.tif 000029